(57)【要約】【課題】既築基礎への影響を最小限に抑えたうえで、充分な接合強度を確保することが容易にできる増築基礎の構築方法を提供する。【解決手段】既築の建物の鉄筋コンクリート製の基礎に隣接して増築工事を行う際の増築基礎の構築方法である。  そして、既築基礎２の主筋３をはつり出す工程と、既築基礎の主筋にスリーブ４を装着する工程と、既築基礎及び増築基礎Ｒ２の主筋３，Ｒ３が両側に挿し込まれた状態のスリーブ４にグラウトを充填する工程と、既築基礎に先端部５１が埋設されたホールインアンカー５及び増築基礎の鉄筋の周囲にコンクリートを打ち込む工程とを備えている。【選択図】図１
2020143457.tif 000002
【特許請求の範囲】
【請求項１】
既築の建物の鉄筋コンクリート製の基礎に隣接して増築工事を行う際の増築基礎の構築方法であって、
既築基礎の鉄筋をはつり出す工程と、
前記既築基礎の鉄筋にスリーブを装着する工程と、
前記既築基礎及び増築基礎の鉄筋が両側に挿し込まれた状態の前記スリーブにグラウトを充填する工程と、
前記既築基礎に一部が埋設されたアンカー材及び前記増築基礎の鉄筋の周囲にコンクリートを打ち込む工程とを備えたことを特徴とする増築基礎の構築方法。
【発明の詳細な説明】
【技術分野】
【０００１】
本発明は、既築の建物の鉄筋コンクリート製の基礎に隣接して増築工事を行う際の増築基礎の構築方法に関するものである。
【背景技術】
【０００２】
住宅などの建物の布基礎やべた基礎などの基礎は、通常、鉄筋コンクリートによって構築される。そして、特許文献１に開示されているように、既築の建物に隣接して増築工事を行う場合に、既築基礎と増築基礎とを一体化させることが行われる。
【０００３】
特許文献１に開示された鉄筋コンクリート躯体の増築方法では、既築の布基礎の上端及び下端の鉄筋と増築基礎の鉄筋との間に、継手筋を架け渡して重ね継手による接合を行っている。さらに、布基礎の高さ方向の中間部においては、既築基礎と増築基礎との間に差し筋を架け渡すことで、接合強度を高めている。
【０００４】
一方、特許文献２には、地震などによって鉄筋が座屈して破損した鉄筋コンクリートの柱部材を補修するに際して、補修箇所の上下に露出した柱の主鉄筋間を、中継鉄筋とモルタル継手によって接合させる方法が開示されている。
【０００５】
このモルタル継手は、両端に開口を有する細長い筒状体に、それぞれの開口から鉄筋を挿し込み、筒状体の注入口から内空にモルタルを充填することによって、２本の鉄筋を接合させる継手手段である。
【先行技術文献】
【特許文献】
【０００６】
【特許文献１】特開２０００−１４５１６４号公報
【特許文献２】特開平９−１３６９５号公報
【発明の概要】
【発明が解決しようとする課題】
【０００７】
しかしながら、特許文献１に開示された鉄筋コンクリート躯体の増築方法において、予め既築の布基礎に埋設された継手筋を利用する場合は、折れ曲がって埋設されていた継手筋を真っ直ぐに伸ばして再利用することになるため、劣化や加工による強度低下が心配される。
【０００８】
一方、重ね継手用の継手筋を新たに配置する場合は、既築の布基礎の鉄筋を重ね継手が可能になる長さだけはつり出さなければならないため、はつり量が多くなり、施工中に既築の建物を支持させておくには、仮設の補強工事などが必要になる。
【０００９】
そこで、本発明は、既築基礎への影響を最小限に抑えたうえで、充分な接合強度を確保することが容易にできる増築基礎の構築方法を提供することを目的としている。
【課題を解決するための手段】
【００１０】
前記目的を達成するために、本発明の増築基礎の構築方法は、既築の建物の鉄筋コンクリート製の基礎に隣接して増築工事を行う際の増築基礎の構築方法であって、既築基礎の鉄筋をはつり出す工程と、前記既築基礎の鉄筋にスリーブを装着する工程と、前記既築基礎及び増築基礎の鉄筋が両側に挿し込まれた状態の前記スリーブにグラウトを充填する工程と、前記既築基礎に一部が埋設されたアンカー材及び前記増築基礎の鉄筋の周囲にコンクリートを打ち込む工程とを備えたことを特徴とする。
【発明の効果】
【００１１】
このように構成された本発明の増築基礎の構築方法は、はつり出された既築基礎の鉄筋にスリーブを装着し、既築基礎及び増築基礎の鉄筋が両側に挿し込まれた状態のスリーブにグラウトを充填することで鉄筋同士を接合する。さらに、既築基礎と増築基礎との間にアンカー材を架け渡して接合強度を高める。
【００１２】
このようにグラウト充填式のスリーブを介した鉄筋の接合であれば、既築基礎の鉄筋を突出させる長さを重ね継手を行う場合よりも短くできるので、既築基礎への影響を最小限に抑えることができる。また、鉄筋同士のスリーブによる接合とアンカー材による接合との両方を設けることで、充分な接合強度を確保することが容易にできる。
【図面の簡単な説明】
【００１３】
【図１】本実施の形態の増築基礎の構築方法を説明するための断面図である。
【図２】既築建物と増築部との配置関係の一例を説明する平面図である。
【図３】図２のＢ−Ｂ矢視方向で見た断面図である。
【図４】スリーブを介した鉄筋同士の継手の構成を説明する断面図である。
【図５】本実施の形態の増築基礎の構築方法の工程を説明するための図であって、（ａ）は既築基礎の平面図、（ｂ）は既築基礎に隣接して増築基礎を設けたときの平面図である。
【図６】既築基礎の配筋の一例を説明する斜視図である。
【図７】はつり出された既築基礎の主筋に増築基礎の主筋を接合した状態を示した斜視図である。
【発明を実施するための形態】
【００１４】
以下、本発明の実施の形態について図面を参照して説明する。図１は、本実施の形態の増築基礎の構築方法を説明する図であり、図２は、既築建物１と増築部Ｒ１との配置関係を説明する平面図である。また、図１は図２のＡ−Ａ矢視方向で見た断面図であり、図３は図２のＢ−Ｂ矢視方向で見た断面図である。
【００１５】
本実施の形態の増築基礎の構築方法は、鉄筋コンクリートで構築される布基礎やべた基礎などの建物の基礎に適用される。例えば図３は、布基礎の断面を例示している。この布基礎として構築された既築基礎２は、平板状のフーチング部２２と、フーチング部２２の幅方向の中央に壁状に設けられる立上り部２１とによって構成される。
【００１６】
フーチング部２２には、格子状の鉄筋が格子筋３４として配筋され、その周囲にコンクリートが打ち込まれる。また、立上り部２１の上端と下端近傍のフーチング部２２の内部には、主筋３となる鉄筋が配筋される。
【００１７】
主筋３，３は、既築基礎２の延伸方向（図３の紙面直交方向）に向けて略水平に配置される。また、主筋３，３の高さ方向の略中央には、主筋３，３と略平行するように腹筋３１が配置される。
【００１８】
さらに、主筋３，３及び腹筋３１と略直交するように、あばら筋３２が鉛直方向に向けて配置される。既築基礎２のフーチング部２２及び立上り部２１の下部は、地面Ｇの下に埋め戻されることがある。
【００１９】
図２には、既築建物１の基礎の配置の一例を示している。この既築建物１の基礎領域には、３列のライン状に布基礎（２，２Ａ，２）が設けられている。ここで、既築建物１の両側の外縁に配置される布基礎を既築基礎２，２とし、既築基礎２，２間にそれらと略平行に配置される布基礎を中基礎２Ａとする。
【００２０】
そして、増築工事によって、既築建物１の一方の既築基礎２及び中基礎２Ａに隣接して、増築部Ｒ１の増築基礎Ｒ２，Ｒ２が設けられる。この増築基礎Ｒ２も、既築基礎２と同じ断面構造の布基礎となる。
【００２１】
すなわち、増築基礎Ｒ２には、既築基礎２の立上り部２１と同じ構造の立上り部Ｒ２１が設けられるとともに、既築基礎２のフーチング部２２と同じ構造のフーチング部Ｒ２２が設けられる。
【００２２】
この増築工事においては、既築基礎２と増築基礎Ｒ２とを一体化させる接続部１１を設け、中基礎２Ａと増築基礎Ｒ２とを一体化させる接続部１１を設ける。この接続部１１の構成について、以下で詳述する。
【００２３】
図１には、接続部１１周辺を拡大して示している。図中央に１点鎖線で示した境界線Ｅを挟んで右側が既築側、左側が増築側となる。既築基礎２は、境界線Ｅからはつり出し面２３までのコンクリートがはつられて、主筋３の先端３ａと腹筋３１の先端３１ａが露出される。
【００２４】
増築基礎Ｒ２用の鉄筋である主筋Ｒ３は、既築基礎２の主筋３の延長線上に配置される。また、既築基礎２の腹筋３１の延長線上にも、増築基礎Ｒ２用の腹筋Ｒ３１が配置される。さらに、主筋Ｒ３，Ｒ３及び腹筋Ｒ３１に略直交するように、鉛直方向に向けてあばら筋Ｒ３２が配置される。
【００２５】
そして、主筋３の先端３ａと主筋Ｒ３の先端Ｒ３ａとは、スリーブ４及びその中に充填されるグラウトによって接合される。図４は、スリーブ４を介した主筋３，Ｒ３同士の継手の構成を説明する図である。
【００２６】
鋼管などによって形成されるスリーブ４は、例えば内周面に凹凸が設けられた円筒状体である。このスリーブ４は、長手方向の両側が開口されていて、それらの開口から内空部４０に向けて主筋３，Ｒ３の先端３ａ，Ｒ３ａがそれぞれ挿入される。
【００２７】
スリーブ４に挿入する主筋３，Ｒ３には、所定の挿入量であることが容易に確認できるように、マーキング４５が付けられる。スリーブ４への鉄筋の必要挿入量は、鉄筋径によって異なるが１００ｍｍから１３０ｍｍ程度に設定することができる。
【００２８】
スリーブ４に挿入された主筋３，Ｒ３は、スリーブ４の外側から内空部４０に向けてねじ込み可能な固定ボルト４３の先端で仮固定される。すなわち、スリーブ４の軸直交方向に位置が移動する固定ボルト４３の先端を鉄筋の周面に接触させることで、スリーブ４と挿入された鉄筋との相対的な位置関係を固定することができる。
【００２９】
また、スリーブ４の開口と主筋３，Ｒ３との隙間は、シール材４４で閉塞される。この段階で、スリーブ４の内空部４０は、スリーブ４の周壁に穿孔された注入口４１及び排出口４２のみによって外部と連通された状態になる。
【００３０】
スリーブ４の内空部４０には、注入口４１からグラウトとなるモルタルを充填する。モルタルとしては、セメント系無収縮性高強度グラウト材などが使用できる。モルタルの充填中は、排出口４２から内空部４０の空気が排出され、内空部４０がモルタルで充満されると、排出口４２からモルタルが溢れ出すことになる。
【００３１】
さらに、図１に示すように、既築基礎２と増築基礎Ｒ２との間には、アンカー材としてのホールインアンカー５を架け渡し、接合強度を高める。ホールインアンカー５としては、例えば鉄筋径（異形鉄筋の呼び径）がＤ１０の本体部を有するものが使用できる。
【００３２】
ホールインアンカー５は、後打ちのアンカー材で、例えば既築基礎２のはつり出し面２３から内部に向けてドリルなどで穿孔した穴に、一部（先端部５１）を打ち込むことによって取り付けることができる。
【００３３】
既築基礎２に先端部５１が埋設されたホールインアンカー５は、主筋Ｒ３と腹筋Ｒ３１との間に、これらと略平行となるように張り出される。本実施の形態では、図３に示すように、上端の主筋３と腹筋３１との間、及び腹筋３１と下端の主筋３との間に、それぞれ１本ずつのホールインアンカー５が埋め込まれる。
【００３４】
次に、本実施の形態の増築基礎の構築方法について、図５−図７を参照しながら説明する。図５（ａ）に示すように、既築建物１の既築基礎２は、平面視略長方形の外縁を囲むように布基礎によって設けられている。また、平面視略長方形の既築基礎２は、内側が中基礎２Ａによって区切られている。
【００３５】
この図５（ａ）の既築基礎２の右下の隅角部に、増築部Ｒ１との接続部１１を設ける。図５（ｂ）には、既築基礎２に隣接して増築部Ｒ１の増築基礎Ｒ２を設けたときの平面図を示した。
【００３６】
増築基礎Ｒ２は、平面視略コ字形に布基礎によって形成される。そして、図５（ｂ）の右端に示した既築基礎２の端部（図では下端）と増築基礎Ｒ２の端部（図では上端）とを、上述したような構造の接続部１１によって接続する。
【００３７】
図６は、既築基礎２の配筋の一例を説明する斜視図である。直交する２方向から延伸された主筋３，３は、隅角部においてわずかに離隔している。この離隔を繋ぐように、略Ｌ字形に折り曲げられたコーナー継手筋３３が配置される。
【００３８】
すなわち、隅角部近傍の主筋３の端部とコーナー継手筋３３の一辺とが重ね継手され、主筋３とコーナー継手筋３３と主筋３とによって、連続した鉄筋が配置された場合と同等の構造になる。
【００３９】
また、直交する２方向から延伸された腹筋３１，３１についても、隅角部の離隔を繋ぐように、略Ｌ字形に折り曲げられたコーナー継手筋３３Ａが配置される。このような既築基礎２の配筋は、図７に示すように、コンクリートの内部に埋設されている。
【００４０】
そこで、既築基礎２のコンクリートをはつることで、主筋３をはつり出す。主筋３の先端３ａをはつり出すと、主筋３と重ね継手されているコーナー継手筋３３や腹筋３１用のコーナー継手筋３３Ａもはつり出されることになる。
【００４１】
続いて、はつり出しによって露出した主筋３の先端３ａに対して、スリーブ４を一方の開口から挿し込む。また、スリーブ４の他方の開口に対しては、増築基礎Ｒ２用の主筋Ｒ３の先端Ｒ３ａを挿し込む。
【００４２】
そして、スリーブ４の固定ボルト４３，４３を締め付けることによって、スリーブ４と主筋３，Ｒ３との相対的な位置関係を固定する（図４参照）。この仮固定の状態で、スリーブ４の注入口４１からモルタルを注入して、排出口４２からモルタルが溢れ出る状態にする。
【００４３】
さらに、主筋３とコーナー継手筋３３Ａとの間のはつり出し面２３に対しては、ホールインアンカー５の先端部５１を打ち込む。このホールインアンカー５を打ち込む作業は、主筋３，Ｒ３同士をスリーブ４で接合させる作業の前に行ってもよい。
【００４４】
また、増築基礎Ｒ２を設ける箇所には、図１に示すように、主筋Ｒ３，Ｒ３に加えて腹筋Ｒ３１とあばら筋Ｒ３２とを配置する。そして、増築基礎Ｒ２用の配筋が完了したのちに、増築基礎Ｒ２の側面となる位置に型枠を設置する。
【００４５】
増築基礎Ｒ２用に設置した型枠の内空には、コンクリートを充填する。コンクリートは、既築基礎２のはつった部分にも流れ込み、充填される。そして、打設されたコンクリートの養生後に、型枠を脱型すると、既築基礎２と増築基礎Ｒ２との接続部１１が完成する。
【００４６】
次に、本実施の形態の増築基礎の構築方法の作用について説明する。
このように構成された本実施の形態の増築基礎の構築方法は、はつり出された既築基礎２の主筋３の先端３ａにスリーブ４を装着し、既築基礎２及び増築基礎Ｒ２の主筋３，Ｒ３が両側に挿し込まれた状態のスリーブ４にモルタルを充填することで鉄筋同士を接合する。
【００４７】
さらに、既築基礎２と増築基礎Ｒ２との間には、ホールインアンカー５を架け渡して接合強度を高める。すなわち、既築基礎２と増築基礎Ｒ２との間（境界線Ｅ上）には、モルタルが充填されたスリーブ４とホールインアンカー５とが配置されることになる。
【００４８】
このようにモルタル充填式のスリーブ４を介した主筋３，Ｒ３同士の接合を行うのであれば、既築基礎２の主筋３を先端３ａだけ突出させればよいので、重ね継手を行う場合と比べて、主筋３のはつり出し量を短くすることができる。
【００４９】
例えば上述した主筋３とコーナー継手筋３３との重ね継手に必要な長さは、鉄筋径がＤ１６であれば７６０ｍｍ−９００ｍｍ、Ｄ１９であれば８８０ｍｍ−１０２０ｍｍ、Ｄ２２であれば１０００ｍｍ−１１４０ｍｍにもなる。
【００５０】
これに対して、主筋３の先端３ａを１００ｍｍ−１３０ｍｍ程度、突出させるだけでよければ、既築基礎２のコンクリートをはつる量が大幅に低減できるので、既築建物１を既築基礎２で支持させたままの状態で、増築部Ｒ１の増築基礎Ｒ２との接続部１１を構築することができる。
【００５１】
さらに、既築基礎２と増築基礎Ｒ２との間に、継手された主筋３，Ｒ３だけでなく、複数のホールインアンカー５，５が配置されていれば、既築基礎２の一般部よりも引張力やせん断力に対する抵抗部材が増えて、充分な接合強度を確保することが容易にできる。
【００５２】
以上、図面を参照して、本発明の実施の形態を詳述してきたが、具体的な構成は、この実施の形態に限らず、本発明の要旨を逸脱しない程度の設計的変更は、本発明に含まれる。
【００５３】
例えば、前記実施の形態では、既築基礎２として布基礎が設けられている場合について説明したが、これに限定されるものではなく、べた基礎が既築基礎の場合にも本発明を適用できる。
【符号の説明】
【００５４】
１      ：既築建物
２      ：既築基礎
２３    ：はつり出し面
３      ：主筋（鉄筋）
４      ：スリーブ
５      ：ホールインアンカー（アンカー材）
５１    ：先端部（一部）
Ｒ１    ：増築部
Ｒ２    ：増築基礎
Ｒ３    ：主筋（鉄筋）
【図１】
2020143457.tif 000003
【図２】
2020143457.tif 000004
【図３】
2020143457.tif 000005
【図４】
2020143457.tif 000006
【図５】
2020143457.tif 000007
【図６】
2020143457.tif 000008
【図７】
2020143457.tif 000009